(57)【要約】【課題】  一側部をヒンジによって固定し、他側部を固定具によって固定することで固定具側から横開きに開閉できるように構成された従来の揚送研磨装置の扉体の固定手段では、扉体の閉扉時において、ヒンジによって揚送研磨装置と完全に固定された一側部と、固定具によって着脱可能に取付けられた他側部との圧力差により、玉送りガイドのヒンジ側と固定具側で研磨ムラが生じることがあった。【解決手段】  玉送りガイドを裏面に取付けた扉体と揚送研磨装置との固定手段において、揚送研磨装置の両側部に複数個所ずつ取付けた弾性を有する固定具を介して固定することで、上昇するパチンコ玉の押圧力を吸収し、玉送りガイドを上昇するパチンコ玉を均一に研磨する。【選択図】  図４
2009226099.tif 000002
【特許請求の範囲】
【請求項１】
縦方向に回転駆動する搬送ベルトと、
前記搬送ベルトと圧着状態に対向配置され、パチンコ玉を上方向に導く玉送りガイドと、
前記搬送ベルトと前記玉送りガイドの間に挟装された研磨布とを備え、
前記搬送ベルトの上昇回転によって前記搬送ベルトと前記研磨布との間を揚送されるパチンコ玉の研磨を行う揚送研磨装置において、
前記玉送りガイドを備えた扉体と前記搬送ベルトを備えた本体の両側部に対向してそれぞれ設けられた一対の固定具によって前記扉体を前記本体に着脱可能とした
ことを特徴とする揚送研磨装置。
【請求項２】
前記固定具は、前記本体に向けて前記扉体を付勢状態で固定する付勢部材を備えた
ことを特徴とする請求項１に記載の揚送研磨装置。
【発明の詳細な説明】
【技術分野】
【０００１】
本発明は、パチンコ遊技機島に設けられ、パチンコ遊技機や玉計数機等からパチンコ遊技機島内の下部貯留部に回収されたパチンコ玉を、上部貯留部に揚送しながら研磨する揚送研磨装置に関する。
【背景技術】
【０００２】
遊技場では、パチンコ遊技機を連設して成した遊技機島が複数設けられており、下部貯留部に貯留されたパチンコ玉を上部貯留部に揚送しながら研磨する揚送研磨装置が各遊技機島に備え付けられている。
【０００３】
従来の揚送研磨装置では、搬送ベルトに対向する側に研磨布を介して玉送りガイドを備えた扉体の一側部を、搬送ベルトを備えた本体の一側部に複数のヒンジによって固定し、扉体の他側部を該本体の他側部に固定具によって着脱可能とすることで扉体の他側部側が横開きに開閉できるようになっている。その為、本体に対して扉体を閉じた場合、扉体がヒンジによって本体に固定された一側部と、固定具によって着脱可能に取付けられた他側部とで本体と扉体との間の押圧力に差が生じ、搬送ベルトと研磨布の間のヒンジ側を上昇するパチンコ玉と固定具側を上昇するパチンコ玉との間に研磨ムラが生じ、パチンコ玉の汚れを十分に除去できないという問題があった。
【０００４】
また、搬送ベルトと対向する玉送りガイドの面にはパチンコ玉を上方向へと導くガイド溝が複数列形成されているが、玉送りガイドの両側端部はパチンコ玉が扉体と擦れて磨耗が生ずる為にガイド溝を形成することができない。その為、揚送研磨装置の稼働中にパチンコ玉が上昇しない玉送りガイドの両側端部が搬送ベルト側に湾曲することがある。それにより、玉送りガイドの中央部が搬送ベルトから離れるように隆起してしまい、玉送りガイドの中央部を上昇するパチンコ玉と両側端部側を上昇するパチンコ玉との間に研磨ムラが生じて、パチンコ玉の汚れを十分に除去できないという問題があった。
【０００５】
上記のような問題に対し、例えば、特許文献１では、揚送研磨装置の扉体と玉送りガイドの間にバネを取付けることで、搬送ベルトと研磨布との間を上昇するパチンコ玉に均一に圧力がかかるようにして研磨ムラを防ぐ揚送研磨装置が開示されている。
【０００６】
【特許文献１】特開平９−２７６５３３号公報
【発明の開示】
【発明が解決しようとする課題】
【０００７】
しかしながら、特許文献１に開示された揚送研磨装置でも、玉送りガイドを備えた扉体を本体に固定するヒンジ側と着脱可能な固定具側とで搬送ベルトと玉送りガイド間の押圧力の差を解消して、パチンコ玉を均一に研磨しきれないという問題がある。
【課題を解決するための手段】
【０００８】
本発明は以上のような問題に鑑みてなされたもので、請求項１に記載の発明は、
縦方向に回転駆動する搬送ベルトと、
前記搬送ベルトと圧着状態に対向配置され、パチンコ玉を上方向に導く玉送りガイドと、
前記搬送ベルトと前記玉送りガイドの間に挟装された研磨布とを備え、
前記搬送ベルトの上昇回転によって前記搬送ベルトと前記研磨布との間を揚送されるパチンコ玉の研磨を行う揚送研磨装置において、
前記玉送りガイドを備えた扉体と前記搬送ベルトを備えた本体の両側部に対向してそれぞれ設けられた一対の固定具によって前記扉体を前記本体に着脱可能とした
ことを特徴とする揚送研磨装置である。
【０００９】
上記のように、玉送りガイドを備えた扉体を揚送研磨装置の本体に固定する際に、扉体と本体の両側部に対向してそれぞれ設けた一対の固定具によって扉体を本体に着脱可能にすることで、搬送ベルトに対する玉送りガイドの押圧力を均一にする。
【００１０】
請求項２に記載の発明は、
前記固定具は、前記本体に向けて前記扉体を付勢状態で固定する付勢部材を備えた
ことを特徴とする請求項１に記載の揚送研磨装置である。
【００１１】
上記のように、扉体が本体に向けて付勢された状態で固定されることで、玉送りガイドを備えた扉体が、揚送されるパチンコ玉の蛇行や、玉同士の乗り上げによる周囲の部材への押圧力のバラつきを適度に吸収し、揚送されるパチンコ玉の汚れを均一に除去する。
【発明の効果】
【００１２】
本発明における揚送研磨装置によれば、単純な構造でもって低コストでパチンコ玉を均一に研磨することを可能とする。
【発明を実施するための最良の形態】
【００１３】
次に、本発明の最良な実施形態を、図面を用いて具体的に説明していく。なお、図１はパチンコ遊技機島とそこに設けられた揚送研磨装置を表す図であり、図２は図１の揚送研磨装置の拡大図であり、図３は扉体開扉時の揚送研磨装置を表す図（研磨布取外し状態）であり、図４は揚送研磨装置の本体への扉体の固定状態を表す図である。
【００１４】
図１に示すように、一般に遊技場では、パチンコ遊技機２を連設して成すパチンコ遊技機島２０と呼ばれる列が形成されている。このパチンコ遊技機島２０の島端に設置された玉計数機４から取込まれたり、パチンコ遊技機２から排出されたりして、パチンコ遊技機島２０の下部に設けられた下部貯留部２２に回収されたパチンコ玉１を、パチンコ遊技機島２０の上部に設けられた上部貯留部２１まで揚送しながら研磨する揚送研磨装置１０が、パチンコ遊技機島２０の中央部に備え付けられている。
【００１５】
パチンコ遊技機島２０の下部には、パチンコ遊技機島２０の両端から中央の下部貯留部２２に向かって下り勾配に傾斜した下部搬送路２４が延設されている。パチンコ遊技機２からのアウト玉のように下部搬送路２４に流下したパチンコ玉１は、下部搬送路２４の傾斜に従って下部貯留部２２へと集約され、揚送研磨装置１０へと導入される。なお、下部搬送路２４はパチンコ遊技機島２０の両端から中央の下部貯留部２２に向けて一本の傾斜によって構成したものに限らず、長大なパチンコ遊技機島２０の場合には、適正な傾斜を確保する為に小型の揚送装置２７を途中に組み込んで構成したものもある（図１参照）。
【００１６】
下部貯留部２２から揚送研磨装置１０の下部に流入したパチンコ玉１は、扉体Ａの裏面に設けられた玉送りガイド１２のガイド面に添って取付けられた研磨布１１と搬送ベルト１４との間に入り込み、搬送ベルト１４の上昇回転によって玉送りガイド１２のガイド溝１３に導かれながら上部貯留部２１へと揚送される（図４参照）。
【００１７】
上部貯留部２１へと揚送されたパチンコ玉１は、上部貯留部２１からパチンコ遊技機島２０の両端に向けて下り勾配に傾斜した上部搬送路２３を通じて、パチンコ遊技機島２０に配置されたパチンコ遊技機２や玉貸出機３へと補給される。パチンコ遊技機島２０の両端まで到達したパチンコ玉１は、上部搬送路２３から下方向に垂下された排出ホース２５を通じて下部搬送路２４へと排出される。また、玉貸出機３から貸出しを行ったパチンコ玉１を使用して遊技をすることで発生したアウト玉もパチンコ遊技機島２０の下部搬送路２４に排出される。また、遊技者が大当たり等で出玉を獲得した状態で遊技を終えた場合、パチンコ遊技機島２０の島端に設けられた玉計数機４でこの獲得した出玉の計数を行うことで、パチンコ玉１は玉計数機４を経由してパチンコ遊技機島２０の下部搬送路２４へと排出される。このようにして下部搬送路２４に溜まったパチンコ玉１は、揚送研磨装置１０を介して研磨揚送されることによりパチンコ遊技機島２０内で循環使用される。
【００１８】
パチンコ遊技機島２０に設置されたパチンコ遊技機２の大当たりや、玉貸出機３の貸出し要求に対しての補給に備える為、揚送研磨装置１０によって下部貯留部２２から上部貯留部２１へと揚送研磨されるパチンコ玉１の量は、上部貯留部２１から上部搬送路２３へと送出されるパチンコ玉１の量よりも多くなっていて、上部貯留部２１は常にパチンコ玉１によって満たされた状態となっている。その為、上部貯留部２１内に満たされたパチンコ玉１によって揚送研磨装置１０が詰まらないように、上部貯留部２１内には、下部貯留部２２へと直結するオーバーフローホース２６が設置されており、上部貯留部２１内に貯留されたパチンコ玉１が一定量に達すると、オーバーフローホース２６を通じて下部貯留部２２へと流下される。
【００１９】
図２、図３に示すように、揚送研磨装置１０に設けられた搬送ベルト１４は、揚送研磨装置１０の下部に設けられたモーターユニット（図示しない。）によって、対向配置された玉送りガイド１２に対して上昇方向に回転駆動する。また、研磨布１１は、扉体Ａの表面の下部に設けられた布送出しガイド１６にロール状に巻かれて取付けられている。そして、布送出しガイド１６から引出された研磨布１１は扉体Ａの表面に沿って上方向に向かって敷設され、扉体Ａの頂部で折り返して、扉体Ａの裏面に備えた玉送りガイド１２に沿って下方向へ向かって敷設され、扉体Ａの下部で折り返して扉体Ａの表面の下部に設けられた布巻取りユニット１７によって巻き取られる。
【００２０】
揚送研磨装置１０を稼動させる際に、玉送りガイド１２によって搬送ベルト１４に押付けられた研磨布１１と搬送ベルト１４との間を揚送されるパチンコ玉１の研磨によって汚れた研磨布１１は、布巻取りユニット１７を回転駆動させることで玉送りガイド１２に対向する汚れた部分が巻取られ、布送出しガイド１６から引出された未使用の研磨布１１が玉送りガイド１２に接するようになる。そして、研磨に使用されて汚れた研磨布１１は、最終的には全て布巻取りユニット１７によってロール状に巻き取られる。
【００２１】
また、図４に示すように、揚送研磨装置１０の扉体Ａを、揚送研磨装置１０の両側部に複数個所ずつ設けられた、本体Ｂに扉体Ａを付勢させる機能を有する固定具（以下、弾性固定具１５。）によって本体に固定してもよい。その際、使用される弾性固定具１５は固定部材、取付け部材、引っ掛け部材及び付勢部材としてのコイルバネにより構成された公知のものであり、本体Ｂに取付けられた固定部材に近接配置された取付け部材と固定部材との間にコイルバネを介していて、取付け部材を扉体Ａに取付けられた引っ掛け部材に引っ掛ける際に延びたコイルバネが、取付け部材を固定部材に向けて引き戻して縮むバネ圧を利用して本体Ｂに扉体Ａを固定するようになっている。この弾性固定具１５を用いて、本体Ｂに扉体Ａの固定を行うことで、固定後も本体Ｂと扉体Ａとの間に適度な弾性を保つことができる。これにより、玉送りガイド１２によって押される研磨布１１と搬送ベルト１４との間を揚送されるパチンコ玉１による周囲の部材への押圧力のバラつきを、弾性固定具１５のコイルバネによって吸収して玉送りガイド１２の全面に渡って均一にすることで、パチンコ玉１を均一に研磨することができる。
【００２２】
なお、本発明においては、揚送されるパチンコ玉１による周囲の部材への押圧力のバラつきを吸収する玉送りガイド１２を扉体Ａに設けるならば、揚送研磨装置１０の本体Ｂと扉体Ａとを固定するのに弾性部材を備えない固定具を用いてもよい。また、弾性固定具１５に設けた弾性部材は本体Ｂに扉体Ａを付勢させる機能を有するものであれば、コイルバネに限らず引張スプリングや圧縮スプリング等によって形成したものであってもよい。ここで、押圧力のバラつきを吸収する玉送りガイド１２を備えた扉体Ａは、玉送りガイド１２に弾性力を有する樹脂材やゴム材を使用したり、弾性力を持たない玉送りガイド１２と扉体Ａとの間にバネ部材又は弾性力を有するゴム板を設けることにより、玉送りガイド１２に加わる押圧力のバラつきを吸収できる機能を持たせたものであればよい。
【図面の簡単な説明】
【００２３】
【図１】パチンコ遊技機島とそこに設けられた揚送研磨装置を表す図である。
【図２】図１の揚送研磨装置の拡大図である。
【図３】扉体開扉時の揚送研磨装置を表す図（研磨布取外し状態）である。
【図４】揚送研磨装置の本体への扉体の固定状態を表す図である。
【符号の説明】
【００２４】
１  パチンコ玉
２  パチンコ遊技機
３  玉貸出機
４  玉計数機
１０  揚送研磨装置
１１  研磨布
１２  玉送りガイド
１３  ガイド溝
１４  搬送ベルト
１５  弾性固定具
１６  布送出しユニット
１７  布巻取りユニット
Ａ  扉体
Ｂ  本体
２０  パチンコ遊技機島
２１  上部貯留部
２２  下部貯留部
２３  上部搬送路
２４  下部搬送路
２５  排出ホース
２６  オーバーフローホース
２７  揚送装置
【図１】
2009226099.tif 000003
【図２】
2009226099.tif 000004
【図３】
2009226099.tif 000005
【図４】
2009226099.tif 000006